(57)【要約】  空調ユニットは、空調ケース（１２）と熱交換器（１４）とを備える。その熱交換器は、複数本のチューブ（２８）とヘッダタンク（１６）とを備える。空調ケースは、ヘッダタンクが挿入された状態で保持される保持部（３２）を有する。その保持部は、ヘッダタンクのタンク外壁部（２２１、２３１）をヘッダタンクの内部空間（２２ａ、２３ａ）側へ押圧する第１リブ（３４、３８）および複数本の第２リブ（３５、３６、３９、４０）を有する。第１リブは、チューブ積層方向（ＤＲｓ）へ延びている。複数本の第２リブはそれぞれ第１リブに連結し、その第１リブからチューブ側とは反対側へ延びるように形成され、チューブ積層方向へ所定のリブ相互間隔（ＤＳ）を空けて並んで配置される。そのリブ相互間隔は、チューブ長手方向（ＤＲｔ）において第１リブから第２リブがチューブ側とは反対側へと及ぶ長さ（Ｌｔ）よりも大きい。
2018025522.tif 000002
【特許請求の範囲】
【請求項１】
空調ユニットであって、
空気が流れる空気通路（１２ａ）が形成された空調ケース（１２）と、
前記空気通路に配置され、冷媒と該空気通路を流れる空気とを熱交換させる熱交換器（１４）とを備え、
該熱交換器は、チューブ積層方向（ＤＲｓ）へ積層配置されチューブ長手方向（ＤＲｔ）へ延び冷媒が流通する複数本のチューブ（２８）と、前記チューブ積層方向へ延びるように形成され前記複数本のチューブの一端（２８１）がそれぞれ連結されたヘッダタンク（１６）とを備え、
前記ヘッダタンクは、該ヘッダタンクの外部と該ヘッダタンクの内部空間（２２ａ、２３ａ）とを隔てると共に前記チューブ積層方向へ延びるタンク外壁部（２２１、２３１）を有し、
前記空調ケースは、前記ヘッダタンクが挿入された状態で保持される保持部（３２）を有し、
該保持部は、前記タンク外壁部を前記内部空間側へ押圧する第１リブ（３４、３８）および複数本の第２リブ（３５、３６、３９、４０）を有し、
前記第１リブは、前記チューブ積層方向へ延びており、
前記複数本の第２リブはそれぞれ前記第１リブに連結し、該第１リブから前記チューブ側とは反対側へ延びるように形成され、前記チューブ積層方向へ所定のリブ相互間隔（ＤＳ）を空けて並んで配置され、
前記リブ相互間隔は、前記チューブ長手方向において前記第１リブから前記第２リブが前記チューブ側とは反対側へと及ぶ長さ（Ｌｔ）よりも大きい空調ユニット。
【請求項２】
前記ヘッダタンクの内部空間は、前記複数本のチューブのうちの少なくとも何れかへ連通し且つ前記チューブ積層方向へ延びる一空間としてのタンク内一空間（２２ｂ、２２ｃ、２３ｂ、２３ｃ）を含み、
前記複数本の第２リブは、前記チューブ積層方向では前記タンク内一空間の一端と他端との間に設けられると共に、該複数本の第２リブが前記チューブ積層方向に占める範囲（Ｗ１ｓ、Ｗ２ｓ、Ｗ３ｓ、Ｗ４ｓ）が前記チューブ積層方向における前記タンク内一空間の中央位置（Ｃ１ｓ、Ｃ２ｓ、Ｃ３ｓ、Ｃ４ｓ）に重なるように配置され、前記タンク外壁部のうちで前記タンク内一空間を覆う部分を押圧する請求項１に記載の空調ユニット。
【請求項３】
前記ヘッダタンクは、該ヘッダタンクの内部空間を前記チューブ積層方向に仕切ることにより複数の分割空間（２２ｂ、２２ｃ、２３ｂ、２３ｃ）を形成する仕切板（２２１、２３１）を有し、
前記タンク内一空間は、前記複数の分割空間のうちの１つの空間として設けられている請求項２に記載の空調ユニット。
【発明の詳細な説明】
【関連出願への相互参照】
【０００１】
本出願は、２０１６年８月１日に出願された日本特許出願番号２０１６−１５１３８５号に基づくもので、ここにその記載内容が参照により組み入れられる。
【技術分野】
【０００２】
本開示は、空調ケース内に収容された熱交換器を有する空調ユニットに関するものである。
【背景技術】
【０００３】
この種の空調ユニットが有する熱交換器の一例が特許文献１に記載されている。その特許文献１の熱交換器は、第１のチューブと第２のチューブと第１のコルゲートフィンと第２のコルゲートフィンと連結部とから構成された熱交換器コアを有している。【０００４】
第１のチューブには第１の流体が流れ、第１のチューブはその第１の流体と空気との間で熱交換する。第２のチューブには第２の流体が流れ、第２のチューブはその第２の流体と空気との間で熱交換する。また、第１および第２のチューブは何れも流路断面が扁平形状に形成されたものであり、第２のチューブは、第１のチューブに対して空気流れの上流側に配置されている。【０００５】
また、第１のコルゲートフィンは、その山部或いは谷部にて第１のチューブのそれぞれの外表面にろう付け等により接合されている。これと同様に、第２のコルゲートフィンは、その山部或いは谷部にて第２のチューブのそれぞれの外表面にろう付け等により接合されている。【０００６】
更に、連結部は、第１のコルゲートフィンと第２のコルゲートフィンとの間において、両コルゲートフィンの山部同士または谷部同士を連結している。従って、熱交換器コアの剛性の減少を抑制でき、第１および第２のチューブ内の流体通過音の発生を抑制できる。
【先行技術文献】
【特許文献】
【０００７】
【特許文献１】特開２００８−２９８３９１号公報
【発明の概要】
【０００８】
特許文献１の熱交換器では、チューブ内の流体通過音の発生が抑制されるが、例えば特許文献１に記載のように、複数本のチューブが連結されたヘッダタンクを備えている熱交換器が一般的に用いられている。そのような熱交換器の場合、ヘッダタンクからも流体通過音すなわち冷媒通過音が発生し得る。しかしながら、ヘッダタンクから発生する冷媒通過音を抑制するための対策は特許文献１には開示されていない。発明者の詳細な検討の結果、以上のようなことが見出された。
【０００９】
本開示は上記点に鑑みて、ヘッダタンクの振動を効率的に抑え冷媒通過音を低減することができる空調ユニットを提供することを目的とする。
【００１０】
上記目的を達成するため、本開示の１つの観点によれば、空調ユニットは、
空気が流れる空気通路が形成された空調ケースと、
空気通路に配置され、冷媒とその空気通路を流れる空気とを熱交換させる熱交換器とを備え、
その熱交換器は、チューブ積層方向へ積層配置されチューブ長手方向へ延び冷媒が流通する複数本のチューブと、チューブ積層方向へ延びるように形成され複数本のチューブの一端がそれぞれ連結されたヘッダタンクとを備え、
ヘッダタンクは、そのヘッダタンクの外部とそのヘッダタンクの内部空間とを隔てると共にチューブ積層方向へ延びるタンク外壁部を有し、
空調ケースは、ヘッダタンクが挿入された状態で保持される保持部を有し、
その保持部は、タンク外壁部を内部空間側へ押圧する第１リブおよび複数本の第２リブを有し、
第１リブは、チューブ積層方向へ延びており、
複数本の第２リブはそれぞれ第１リブに連結し、その第１リブからチューブ側とは反対側へ延びるように形成され、チューブ積層方向へ所定のリブ相互間隔を空けて並んで配置され、
リブ相互間隔は、チューブ長手方向において第１リブから第２リブがチューブ側とは反対側へと及ぶ長さよりも大きい。
【００１１】
このように空調ケースの保持部に第１リブと第２リブとが設けられているので、ヘッダタンクの振動を抑える観点から、ヘッダタンクが振動する際のタンク外壁部の振幅を第１リブおよび第２リブで適切に抑えることができる。要するに、そのヘッダタンクの振動を効率的に抑えることができる。その結果として、熱交換器から発せられる冷媒通過音を低減することができる。
【００１２】
また、リブ相互間隔は、チューブ長手方向において第１リブから第２リブがチューブ側とは反対側へと及ぶ長さよりも大きい。従って、過剰にならない押圧力でタンク外壁部を第１リブおよび第２リブにより押圧しつつ、タンク外壁部が第２リブにより押圧される範囲をチューブ積層方向に拡げることができる。その結果、いろいろな大きさの熱交換器に対応して冷媒通過音の低減を図ることが可能である。
【図面の簡単な説明】
【００１３】
【図１】第１実施形態において空調ユニットの一部を断面図示すると共に、空調ユニットの概略構成を示した模式図である。
【図２】第１実施形態において、蒸発器を単体で示した斜視図である。
【図３】図１のIII−III断面を示した断面図であって、第１ヘッダタンクを上側から見た断面図である。
【図４】図３のIV−IV断面を示した断面図において、第１ヘッダタンクを部分的に断面図示すると共にパッキン材の図示を省略した図である。
【図５】図３のV−V断面を示した断面図である。
【図６】第１実施形態と対比される比較例の蒸発器が所定の作動条件で作動させられた実験の実験結果を示した図であって、その蒸発器から発せられる放射音の周波数と音圧レベルとの関係を示した図である。
【図７】第１実施形態の蒸発器が上記作動条件で作動させられた実験の実験結果を示した図であって、その蒸発器から発せられる放射音の周波数と音圧レベルとの関係を示した図である。
【図８】図６および図７の実験結果から得られた各周波数帯のパーシャルオーバーオール値を表示した図である。
【発明を実施するための形態】
【００１４】
以下、図面を参照しながら、本開示の実施形態を説明する。なお、後述する他の実施形態を含む以下の各実施形態相互において、互いに同一もしくは均等である部分には、図中、同一符号を付してある。
【００１５】
（第１実施形態）
本実施形態の空調ユニット１０は、車両に搭載される車両用空調ユニットである。その空調ユニット１０は、図１に示すように、空調ユニット１０の外殻を成す空調ケース１２、蒸発器１４、不図示の加熱器であるヒータコア、および不図示の送風機等を備えている。
【００１６】
空調ケース１２は、例えば蒸発器１４とヒータコアとをその空調ケース１２内に収容している。そして、空調ケース１２の内部には、車室内へ吹き出される空気が流れる空気通路１２ａが形成されており、蒸発器１４およびヒータコアは、その空気通路１２ａに配置されている。
【００１７】
蒸発器１４は、圧縮機と放熱器と減圧器とを含み冷媒が循環する冷凍サイクルの一部を構成する。また、蒸発器１４は、冷媒と空気通路１２ａを流れる空気とを熱交換させる熱交換器であり、蒸発器１４には、減圧器によって減圧された冷媒が流入する。蒸発器１４は、その冷媒と空気通路１２ａを流れる空気との熱交換により、冷媒を蒸発させると共にその空気を冷却する。
【００１８】
図２に示すように、本実施形態の蒸発器１４は、基本的には、例えば特開２０１４−５５７３６号公報に示された蒸発器と同様の構造を備えている。すなわち、本実施形態の蒸発器１４は、上下方向に間隔をおいて配置された第１ヘッダタンク１６および第２ヘッダタンク１８と、両ヘッダタンク１６、１８の間に設けられたコア部２０とを備えている。なお、図２の矢印ＦＬａは、蒸発器１４のコア部２０を通過する空気流れ（すなわち、送風空気流れ）の向きを示している。
【００１９】
第１ヘッダタンク１６は、第２ヘッダタンク１８に対し上側に配置されている。図３に示すように、第１ヘッダタンク１６は、相互に一体化された第１風下側ヘッダ部２２と第１風上側ヘッダ部２３とを備えている。第１風下側ヘッダ部２２は、第１風上側ヘッダ部２３に対し、空気流れ方向ＤＲａの下流側に位置している。その空気流れ方向ＤＲａとは、コア部２０の空気流れ上流側に位置する空気流入面と空気流れ下流側に位置する空気流出面との並び方向である。
【００２０】
図２に示す第２ヘッダタンク１８も上記の第１ヘッダタンク１６と同様の構造である。具体的には、第２ヘッダタンク１８は、相互に一体化された第２風下側ヘッダ部２４と第２風上側ヘッダ部２５とを備えている。第２風下側ヘッダ部２４は、第２風上側ヘッダ部２５に対し、空気流れ方向ＤＲａの下流側に位置している。
【００２１】
コア部２０は、風下側チューブ列２６と風上側チューブ列２７とを有している。その風下側チューブ列２６は、風上側チューブ列２７に対し、空気流れ方向ＤＲａの下流側に位置している。そして、図２および図４に示すように、風下側チューブ列２６および風上側チューブ列２７はそれぞれ、冷媒が流通する複数本のチューブ２８と、複数のコルゲートフィン２９とを有している。図４は、図３のIV−IV断面を示した図であるが、図５のIV−IV断面を示した図でもある。また、図４では、見易い図示にするために、後述のパッキン材４２の図示が省略されている。
【００２２】
各チューブ列２６、２７においてチューブ２８は、チューブ積層方向ＤＲｓへ積層配置され、チューブ長手方向ＤＲｔへ延びている。また、チューブ２８は、チューブ積層方向ＤＲｓを厚み方向とした扁平断面形状を成している。チューブ２８は、例えばアルミニウム製であり、押出製法等によって得ることができる。
【００２３】
また、コルゲートフィン２９は、各チューブ列２６、２７において、チューブ２８同士の間に配置され、そのチューブ２８にろう付接合されている。なお、チューブ積層方向ＤＲｓとチューブ長手方向ＤＲｔと空気流れ方向ＤＲａは互いに交差する方向であり、厳密に言えば互いに直交する方向である。また、本実施形態ではチューブ長手方向ＤＲｔは上下方向に一致するが、上下方向に一致している必要はなく、例えばチューブ長手方向ＤＲｔは上下方向に対して傾いていてもよい。
【００２４】
また、チューブ積層方向ＤＲｓにおける各チューブ列２６、２７の両端にはそれぞれ、サイドプレート３０が配置されている。サイドプレート３０は、そのサイドプレート３０とこれに隣接するチューブ２８との間に配置されたコルゲートフィン２９に対し、ろう付接合されている。
【００２５】
各ヘッダタンク１６、１８は、チューブ積層方向ＤＲｓへ延びるように形成されている。従って、各ヘッダ部２２、２３、２４、２５もチューブ積層方向ＤＲｓへ延びるように形成されている。
【００２６】
また、第１ヘッダタンク１６には、各チューブ２８の上端としての一端２８１がそれぞれ連結されている。それと共に、第２ヘッダタンク１８には、各チューブ２８の下端としての他端２８２がそれぞれ連結されている。
【００２７】
詳細には図２〜図４に示すように、第１ヘッダタンク１６のうち第１風下側ヘッダ部２２には風下側チューブ列２６のチューブ２８の一端２８１が連結されている。これにより、その風下側チューブ列２６のチューブ２８はそれぞれ第１風下側ヘッダ部２２の内部空間２２ａへ連通している。また、第１風上側ヘッダ部２３には風上側チューブ列２７のチューブ２８の一端２８１が連結されている。これにより、その風上側チューブ列２７のチューブ２８はそれぞれ第１風上側ヘッダ部２３の内部空間２３ａへ連通している。
【００２８】
また、第２ヘッダタンク１８のうち第２風下側ヘッダ部２４には風下側チューブ列２６のチューブ２８の他端２８２が連結されている。これにより、その風下側チューブ列２６のチューブ２８はそれぞれ第２風下側ヘッダ部２４の内部空間へ連通している。また、第２風上側ヘッダ部２５には風上側チューブ列２７のチューブ２８の他端２８２が連結されている。これにより、その風上側チューブ列２７のチューブ２８はそれぞれ第２風上側ヘッダ部２５の内部空間へ連通している。
【００２９】
また、第１ヘッダタンク１６の各ヘッダ部２２、２３はそれぞれタンク外壁部２２１、２３１を有している。その第１風下側ヘッダ部２２のタンク外壁部２２１は、チューブ積層方向ＤＲｓへ延びるように形成されると共に、第１ヘッダタンク１６の外部と第１風下側ヘッダ部２２の内部空間２２ａとを隔てている。
【００３０】
これと同様に、第１風上側ヘッダ部２３のタンク外壁部２３１は、チューブ積層方向ＤＲｓへ延びるように形成されると共に、第１ヘッダタンク１６の外部と第１風上側ヘッダ部２３の内部空間２３ａとを隔てている。そして、それらのタンク外壁部２２１、２３１は全体として第１ヘッダタンク１６の外殻を成している。
【００３１】
第１ヘッダタンク１６は、２つの仕切板２２４、２３４すなわち風下側仕切板２２４と風上側仕切板２３４とを有している。その２つの仕切板２２４、２３４はそれぞれ、第１ヘッダタンク１６の内部空間２２ａ、２３ａをチューブ積層方向ＤＲｓに仕切っている。
【００３２】
詳細には、第１風下側ヘッダ部２２が風下側仕切板２２４を有し、その風下側仕切板２２４は、第１風下側ヘッダ部２２の内部空間２２ａをチューブ積層方向ＤＲｓに仕切ることにより複数の分割空間２２ｂ、２２ｃを形成している。その第１風下側ヘッダ部２２の複数の分割空間２２ｂ、２２ｃとは具体的には、一方側分割空間２２ｂと、その一方側分割空間２２ｂに対しチューブ積層方向ＤＲｓの他方側に配置された他方側分割空間２２ｃとである。
【００３３】
そして、第１風上側ヘッダ部２３が風上側仕切板２３４を有し、その風上側仕切板２３４は、第１風上側ヘッダ部２３の内部空間２３ａをチューブ積層方向ＤＲｓに仕切ることにより複数の分割空間２３ｂ、２３ｃを形成している。その第１風上側ヘッダ部２３の複数の分割空間２３ｂ、２３ｃとは具体的には、一方側分割空間２３ｂと、その一方側分割空間２３ｂに対しチューブ積層方向ＤＲｓの他方側に配置された他方側分割空間２３ｃとである。
【００３４】
このように形成された分割空間２２ｂ、２２ｃ、２３ｂ、２３ｃは各々、蒸発器１４が有する全チューブ２８のうちの少なくとも何れかへ連通し且つチューブ積層方向ＤＲｓへ延びる一空間としてのタンク内一空間として形成されている。すなわち、タンク内一空間とは、仕切板２２４、２３４のような隔壁で分断されていない連続する空間である。
【００３５】
例えば一方側分割空間２２ｂに着目すれば、その一方側分割空間２２ｂは、他の分割空間２２ｃ、２３ｂ、２３ｃとは別個に形成されたタンク内一空間であるということである。また、４つのタンク内一空間２２ｂ、２２ｃ、２３ｂ、２３ｃのうちの１つのタンク内一空間に着目すれば、そのタンク内一空間は、複数の分割空間２２ｂ、２２ｃ、２３ｂ、２３ｃのうちの１つの空間として設けられている。
【００３６】
また、第１風下側ヘッダ部２２は、蒸発器１４の外部から第１ヘッダタンク１６内へ冷媒を流入させる冷媒入口部２２２を有している。この冷媒入口部２２２は、第１風下側ヘッダ部２２の一方側分割空間２２ｂに連通しているので、蒸発器１４の外部からの冷媒は先ず、その一方側分割空間２２ｂへ流入する。
【００３７】
そして、第１風上側ヘッダ部２３は、第１ヘッダタンク１６内の冷媒を蒸発器１４の外部へ流出させる冷媒出口部２３２を有している。この冷媒出口部２３２は、第１風上側ヘッダ部２３の一方側分割空間２３ｂに連通しているので、冷媒はその一方側分割空間２３ｂ内から冷媒出口部２３２を介して蒸発器１４の外部へ流出する。冷媒入口部２２２および冷媒出口部２３２は何れも、第１ヘッダタンク１６のうちチューブ積層方向ＤＲｓの一方側の端部に設けられている。
【００３８】
第２ヘッダタンク１８も、上述した第１ヘッダタンク１６と同様の構成となっている。すなわち、第２ヘッダタンク１８もタンク外壁部および仕切板を有し、第２ヘッダタンク１８の各ヘッダ部２４、２５の内部空間はそれぞれ複数の分割空間に分割されている。但し、第２ヘッダタンク１８は冷媒入口部２２２および冷媒出口部２３２を有していない。
【００３９】
このように構成された蒸発器１４では、その蒸発器１４が有する複数本のチューブ２８は、第１ヘッダタンク１６側から第２ヘッダタンク１８側へ冷媒を流すチューブ群と、第２ヘッダタンク１８側から第１ヘッダタンク１６側へ冷媒を流すチューブ群とに分かれる。そして、冷媒入口部２２２から第１風下側ヘッダ部２２の一方側分割空間２２ｂへ流入した冷媒は、複数本のチューブ２８内を流通すると共に第１ヘッダタンク１６および第２ヘッダタンク１８の複数の分割空間を流通する。そして、蒸発器１４内を流通した冷媒は最終的には、第１風上側ヘッダ部２３の一方側分割空間２３ｂへ流入する。その第１風上側ヘッダ部２３の一方側分割空間２３ｂへ流入した冷媒は、その一方側分割空間２３ｂ内から冷媒出口部２３２を介して蒸発器１４の外部へ流出する。
【００４０】
図３〜図５に示すように、空調ケース１２の空気通路１２ａに設けられた蒸発器１４は、空調ケース１２に対して固定されている。そのために、空調ケース１２は、各ヘッダタンク１６、１８が挿入された状態で保持される保持部を有している。図３〜図５には、第１ヘッダタンク１６が挿入された状態で保持される保持部３２、すなわち第１ヘッダタンク１６用の保持部３２が表されているが、第２ヘッダタンク１８用の保持部もこの図３〜図５と同様である。そこで、以下では、第１ヘッダタンク１６用の保持部３２について説明し、第２ヘッダタンク１８用の保持部についての説明を省略する。
【００４１】
図３〜図５に示す保持部３２は、空気通路１２ａ側に開口し、第１ヘッダタンク１６が嵌め入れられるように窪んで形成されている。第１ヘッダタンク１６はチューブ積層方向ＤＲｓに延びているので、保持部３２もチューブ積層方向ＤＲｓに延びている。
【００４２】
保持部３２は、第１ヘッダタンク１６を挟圧して保持するために、一対の第１リブ３４、３８と複数本の第２リブ３５、３６、３９、４０とを有している。これらの第１リブ３４、３８および第２リブ３５、３６、３９、４０は何れも、保持部３２の側壁面３２１、３２２から内側へ突き出ており、タンク外壁部２２１、２３１を内部空間２２ａ、２３ａ側へ押圧するリブである。その保持部３２の側壁面３２１、３２２は一対を成し、空気流れ方向ＤＲａに沿った向きを向くと共に第１ヘッダタンク１６を挟んで相対向している。
【００４３】
空調ケース１２は保持部３２が第１ヘッダタンク１６を挟圧するように組み立てられるので、保持部３２には、空調ケース１２を構成する複数のケース部材同士の境目であるケース部材境界Ｌｂｎが存在する。このケース部材境界Ｌｂｎは保持部３２内ではチューブ積層方向ＤＲｓへ延びるように形成されている。そして、このケース部材境界Ｌｂｎを境とした一方のケース部材と他方のケース部材とが互いに、スナップフィットまたはボルト止め等によって固定されることにより、第１ヘッダタンク１６は保持部３２に保持される。なお、図３ではケース部材境界Ｌｂｎは二点鎖線でも表示されている。
【００４４】
保持部３２と第１ヘッダタンク１６との間には、例えば発泡ウレタン等の弾性体からなるパッキン材４２が設けられている。従って、第１リブ３４、３８および第２リブ３５、３６、３９、４０は何れもそのパッキン材４２を介してタンク外壁部２２１、２３１を押圧する。
【００４５】
具体的に、一対の第１リブ３４、３８のうち空気流れ方向ＤＲａの下流側に設けられた風下第１リブ３４は、第１風下側ヘッダ部２２の全長にわたってチューブ積層方向ＤＲｓへ延びており、その第１風下側ヘッダ部２２のタンク外壁部２２１を押圧する。そして、一対の第１リブ３４、３８のうち空気流れ方向ＤＲａの上流側に設けられた風上第１リブ３８は、第１風上側ヘッダ部２３の全長にわたってチューブ積層方向ＤＲｓへ延びており、その第１風上側ヘッダ部２３のタンク外壁部２３１を押圧する。要するに、一対の第１リブ３４、３８は第１ヘッダタンク１６の全長にわたってチューブ積層方向ＤＲｓへ延びている。
【００４６】
保持部３２が有する第２リブ３５、３６、３９、４０は、その配置場所に応じて、４つの第２リブ群に分かれる。そこで、チューブ積層方向ＤＲｓの一方側で且つ空気流れ方向ＤＲａの下流側の第２リブ群に属する第２リブ３５を一方側風下第２リブ３５と呼ぶ。また、チューブ積層方向ＤＲｓの他方側で且つ空気流れ方向ＤＲａの下流側の第２リブ群に属する第２リブ３６を他方側風下第２リブ３６と呼ぶ。また、チューブ積層方向ＤＲｓの一方側で且つ空気流れ方向ＤＲａの上流側の第２リブ群に属する第２リブ３９を一方側風上第２リブ３９と呼ぶ。また、チューブ積層方向ＤＲｓの他方側で且つ空気流れ方向ＤＲａの上流側の第２リブ群に属する第２リブ４０を他方側風上第２リブ４０と呼ぶ。なお、本実施形態では、各第２リブ群に属する第２リブの数はそれぞれ３本である。
【００４７】
一方側風下第２リブ３５および他方側風下第２リブ３６はそれぞれ風下第１リブ３４に連結し、風下第１リブ３４と交差している。すなわち、それらの第２リブ３５、３６は、チューブ長手方向ＤＲｔにおいて、風下第１リブ３４からチューブ２８側へ延びると共にチューブ２８側とは反対側へも延びるように形成されている。
【００４８】
そして、複数本の一方側風下第２リブ３５は、チューブ積層方向ＤＲｓでは第１風下側ヘッダ部２２の一方側分割空間２２ｂの一端２２ｄと他端２２ｅとの間に設けられている。そのため、一方側風下第２リブ３５は、タンク外壁部２２１のうちでその一方側分割空間２２ｂを覆う部分を押圧する。また、複数本の一方側風下第２リブ３５は、チューブ積層方向ＤＲｓへ所定のリブ相互間隔ＤＳを空けて並んで配置されている。
【００４９】
更に、複数本の一方側風下第２リブ３５は、その一方側風下第２リブ３５のリブ配置範囲Ｗ１ｓがチューブ積層方向ＤＲｓにおける第１風下側ヘッダ部２２の一方側分割空間２２ｂの中央位置Ｃ１ｓに重なるように配置されている。その一方側風下第２リブ３５のリブ配置範囲Ｗ１ｓとは、詳細に言えば、複数本の一方側風下第２リブ３５がチューブ積層方向ＤＲｓに占める範囲（言い換えれば、幅）である。なお、一方側風下第２リブ３５のリブ配置範囲Ｗ１ｓが第１風下側ヘッダ部２２の一方側分割空間２２ｂの中央位置Ｃ１ｓに重なることとは、言い換えれば、チューブ積層方向ＤＲｓにおいてその中央位置Ｃ１ｓがリブ配置範囲Ｗ１ｓ内に入ることである。
【００５０】
また、複数本の他方側風下第２リブ３６は、チューブ積層方向ＤＲｓでは第１風下側ヘッダ部２２の他方側分割空間２２ｃの一端２２ｆと他端２２ｇとの間に設けられている。そのため、他方側風下第２リブ３６は、タンク外壁部２２１のうちでその他方側分割空間２２ｃを覆う部分を押圧する。また、複数本の他方側風下第２リブ３６は、チューブ積層方向ＤＲｓへ所定のリブ相互間隔ＤＳを空けて並んで配置されている。
【００５１】
更に、複数本の他方側風下第２リブ３６は、その他方側風下第２リブ３６のリブ配置範囲Ｗ２ｓがチューブ積層方向ＤＲｓにおける第１風下側ヘッダ部２２の他方側分割空間２２ｃの中央位置Ｃ２ｓに重なるように配置されている。その他方側風下第２リブ３６のリブ配置範囲Ｗ２ｓとは、詳細に言えば、複数本の他方側風下第２リブ３６がチューブ積層方向ＤＲｓに占める範囲である。
【００５２】
風上第１リブ３８、一方側風上第２リブ３９、および他方側風上第２リブ４０についても、上述した風下第１リブ３４、一方側風下第２リブ３５、および他方側風下第２リブ３６とそれぞれ同様である。具体的に言うと、一方側風上第２リブ３９および他方側風上第２リブ４０はそれぞれ風上第１リブ３８に連結し、風上第１リブ３８と交差している。すなわち、それらの第２リブ３９、４０は、チューブ長手方向ＤＲｔにおいて、風上第１リブ３８からチューブ２８側へ延びると共にチューブ２８側とは反対側へも延びるように形成されている。
【００５３】
そして、複数本の一方側風上第２リブ３９は、チューブ積層方向ＤＲｓでは第１風上側ヘッダ部２３の一方側分割空間２３ｂの一端２３ｄと他端２３ｅとの間に設けられている。そのため、一方側風上第２リブ３９は、タンク外壁部２３１のうちでその一方側分割空間２３ｂを覆う部分を押圧する。また、複数本の一方側風上第２リブ３９は、チューブ積層方向ＤＲｓへ所定のリブ相互間隔ＤＳを空けて並んで配置されている。
【００５４】
更に、複数本の一方側風上第２リブ３９は、その一方側風上第２リブ３９のリブ配置範囲Ｗ３ｓがチューブ積層方向ＤＲｓにおける第１風上側ヘッダ部２３の一方側分割空間２３ｂの中央位置Ｃ３ｓに重なるように配置されている。その一方側風上第２リブ３９のリブ配置範囲Ｗ３ｓとは、詳細に言えば、複数本の一方側風上第２リブ３９がチューブ積層方向ＤＲｓに占める範囲である。
【００５５】
また、複数本の他方側風上第２リブ４０は、チューブ積層方向ＤＲｓでは第１風上側ヘッダ部２３の他方側分割空間２３ｃの一端２３ｆと他端２３ｇとの間に設けられている。そのため、他方側風上第２リブ４０は、タンク外壁部２３１のうちでその他方側分割空間２３ｃを覆う部分を押圧する。また、複数本の他方側風上第２リブ４０は、チューブ積層方向ＤＲｓへ所定のリブ相互間隔ＤＳを空けて並んで配置されている。なお、各第２リブ３５、３６、３９、４０のリブ相互間隔ＤＳは、本実施形態では互いに同じであるが、互いに異なる大きさであっても構わない。
【００５６】
更に、複数本の他方側風上第２リブ４０は、その他方側風上第２リブ４０のリブ配置範囲Ｗ４ｓがチューブ積層方向ＤＲｓにおける第１風上側ヘッダ部２３の他方側分割空間２３ｃの中央位置Ｃ４ｓに重なるように配置されている。その他方側風上第２リブ４０のリブ配置範囲Ｗ４ｓとは、詳細に言えば、複数本の他方側風上第２リブ４０がチューブ積層方向ＤＲｓに占める範囲である。
【００５７】
また、図４および図５に示すように、一方側風下第２リブ３５のリブ相互間隔ＤＳは、チューブ長手方向ＤＲｔにおいて風下第１リブ３４から一方側風下第２リブ３５がチューブ２８側とは反対側へと及ぶ長さＬｔ（すなわち、延伸長さＬｔ）よりも大きい。なお、その延伸長さＬｔと比較されるリブ相互間隔ＤＳは、個々のリブ相互間隔ＤＳが互いに異なる大きさである場合には、例えば個々のリブ相互間隔ＤＳの平均値とされてよい。これと同様に、リブ相互間隔ＤＳと比較される延伸長さＬｔは、個々の延伸長さＬｔが互いに異なる大きさである場合には、例えば個々の延伸長さＬｔの平均値とされてよい。
【００５８】
また、上記のリブ相互間隔ＤＳが延伸長さＬｔよりも大きいという関係は、他の第２リブ３６、３９、４０についても同様である。なお、各第２リブ３５、３６、３９、４０の延伸長さＬｔは互いに同じであっても、互いに異なる大きさであっても構わない。
【００５９】
また、図３および図５に示すように、一方側風下第２リブ３５および他方側風下第２リブ３６は、空気流れ方向ＤＲａにおいて風下第１リブ３４よりも大きく突き出ている。言い換えれば、それらの第２リブ３５、３６は、空気流れ方向ＤＲａで、風下第１リブ３４よりも第１風下側ヘッダ部２２へ近付くように突き出ている。従って、その第２リブ３５、３６は第１リブ３４よりも、第１風下側ヘッダ部２２のタンク外壁部２２１を強く押圧する。
【００６０】
これと同様に、一方側風上第２リブ３９および他方側風上第２リブ４０は、空気流れ方向ＤＲａにおいて風上第１リブ３８よりも大きく突き出ている。言い換えれば、それらの第２リブ３９、４０は、空気流れ方向ＤＲａで、風上第１リブ３８よりも第１風上側ヘッダ部２３へ近付くように突き出ている。従って、その第２リブ３９、４０は第１リブ３８よりも、第１風上側ヘッダ部２３のタンク外壁部２３１を強く押圧する。
【００６１】
上述したように、本実施形態によれば、第１リブ３４、３８および第２リブ３５、３６、３９、４０はタンク外壁部２２１、２３１を内部空間２２ａ、２３ａ側へ押圧する。そして、第２リブ３５、３６、３９、４０はそれぞれチューブ積層方向ＤＲｓへ所定のリブ相互間隔ＤＳを空けて並んで配置されている。更に、それぞれの第２リブ３５、３６、３９、４０において、そのリブ相互間隔ＤＳは第２リブ３５、３６、３９、４０の延伸長さＬｔよりも大きい。
【００６２】
従って、第１ヘッダタンク１６の振動を抑える観点から、その第１ヘッダタンク１６が振動する際のタンク外壁部２２１、２３１の振幅を各リブ３４〜３６、３８〜４０で適切に抑え、その第１ヘッダタンク１６の振動を効率的に抑えることができる。その結果として、蒸発器１４から発せられる冷媒通過音を低減することができる。
【００６３】
更に、本実施形態では上記リブ相互間隔ＤＳは上記延伸長さＬｔよりも大きい。従って、過剰にならない押圧力でタンク外壁部２２１、２３１を各リブ３４〜３６、３８〜４０により押圧しつつ、タンク外壁部２２１、２３１が第２リブ３５、３６、３９、４０により押圧される範囲をチューブ積層方向ＤＲｓに拡げることができる。その結果、いろいろな大きさの熱交換器に対応して冷媒通過音の低減を図ることが可能である。このような作用効果は第２ヘッダタンク１８でも同様である。
【００６４】
ここで、蒸発器１４の冷媒通過音の発生要因について考察すると、その発生要因の一つとして、ヘッダタンク１６、１８に冷媒が流入した際、その冷媒の衝突エネルギーによって、ヘッダタンク１６、１８が振動することが考えられる。そのようにヘッダタンク１６、１８が振動したとすれば、その振動はチューブ２８へ伝わり、コア部２０全体から放射音が発生する。すなわち、ヘッダタンク１６、１８の振動が抑制されれば、チューブ２８への振動伝達が小さくなり、蒸発器１４からの放射音が低減される。
【００６５】
例えば第１ヘッダタンク１６のうち特に振動が大きくなりやすい箇所は、各分割空間２２ｂ、２２ｃ、２３ｂ、２３ｃの中央部分である。そのため、その中央部分にてタンク外壁部２２１、２３１を押圧して保持すれば、基本的には、第１ヘッダタンク１６の振動抑制効果は得られやすい。しかしながら、蒸発器等である熱交換器のヘッダタンクとしては一般的に種々の大きさが想定され、従来技術では、そのヘッダタンクの大きさによってはヘッダタンクの振動抑制効果が十分に得られない場合があった。
【００６６】
これに対し、本実施形態では、保持部３２において第２リブのリブ相互間隔ＤＳと延伸長さＬｔとの関係が上述のように規定されているので、いろいろな大きさの熱交換器に対応して冷媒通過音（例えば、２〜１０ｋＨｚの放射音）の低減を図ることが可能である。
【００６７】
次に、本実施形態と対比される比較例と、本実施形態とで行った実験結果について説明する。図６〜図８は、本実施形態と対比される比較例の蒸発器と、本実施形態の蒸発器１４とがそれぞれ共通の作動条件で作動させられた場合の実験結果を示している。その比較例の蒸発器では、本実施形態の蒸発器１４とは逆に、保持部３２における第２リブのリブ相互間隔ＤＳが第２リブの延伸長さＬｔよりも小さくなっている。この点を除き、比較例の蒸発器は本実施形態の蒸発器１４と同様である。
【００６８】
この実験では、比較例の蒸発器については、図６に示す周波数と音圧レベルとの関係が得られた。そして、本実施形態の蒸発器１４については、図７に示す周波数と音圧レベルとの関係が得られた。そして、図６および図７の実験結果から得られた各周波数帯のパーシャルオーバーオール値を表示したものが図８である。この図８から判るように、本実施形態の蒸発器１４では、比較例の蒸発器と比較して何れの周波数帯でも音圧レベルが低いので、冷媒通過音が低減されている。なお、図６と図７とにおいて、音圧レベルを示す縦軸の目盛は互いに同じである。
【００６９】
また、本実施形態によれば図３および図４に示すように、複数本の一方側風下第２リブ３５は、チューブ積層方向ＤＲｓでは第１風下側ヘッダ部２２の一方側分割空間２２ｂの一端２２ｄと他端２２ｅとの間に設けられている。それと共に、複数本の一方側風下第２リブ３５は、その一方側風下第２リブ３５のリブ配置範囲Ｗ１ｓがチューブ積層方向ＤＲｓにおける第１風下側ヘッダ部２２の一方側分割空間２２ｂの中央位置Ｃ１ｓに重なるように配置されている。また、複数本の一方側風下第２リブ３５は、タンク外壁部２２１のうちでその一方側分割空間２２ｂを覆う部分を押圧する。このことは他の第２リブ３６、３９、４０でも同様である。従って、タンク外壁部２２１、２３１の振動し易い箇所でそのタンク外壁部２２１、２３１を押圧し、その振動を抑制することが可能である。このような作用効果は第２ヘッダタンク１８でも同様である。
【００７０】
また、本実施形態によれば図３および図４に示すように、第１ヘッダタンク１６は２つの仕切板２２４、２３４を有している。そして、その２つの仕切板２２４、２３４はそれぞれ、第１ヘッダタンク１６の内部空間２２ａ、２３ａをチューブ積層方向ＤＲｓに仕切ることにより複数の分割空間２２ｂ、２２ｃ、２３ｂ、２３ｃを形成している。また、その複数の分割空間２２ｂ、２２ｃ、２３ｂ、２３ｃは各々、上記タンク内一空間として形成されている。従って、第１ヘッダタンク１６の内部空間２２ａ、２３ａが複数の分割空間２２ｂ、２２ｃ、２３ｂ、２３ｃに分割されている場合でも、その第１ヘッダタンク１６の振動を効率的に抑え、蒸発器１４の冷媒通過音を低減することができる。このような作用効果は第２ヘッダタンク１８でも同様である。
【００７１】
（他の実施形態）
（１）上述の実施形態では図３に示すように、第１ヘッダタンク１６は、仕切板２２４、２３４を有しているが、それらの仕切板２２４、２３４は無くても差し支えない。仕切板２２４、２３４が無ければ、各ヘッダ部２２、２３の内部空間２２ａ、２３ａは分割されない。従って、その場合、第１風下側ヘッダ部２２の内部空間２２ａが１つのタンク内一空間として形成され、第１風上側ヘッダ部２３の内部空間２３ａも１つのタンク内一空間として形成される。このことは第２ヘッダタンク１８についても同様である。
【００７２】
（２）上述の実施形態では図３に示すように、第１ヘッダタンク１６は２つのヘッダ部２２、２３を有しているが、第１ヘッダタンク１６は１つのヘッダ部を有しているだけであってもよい。このことは第２ヘッダタンク１８についても同様である。
【００７３】
（３）上述の実施形態において空調ケース１２の保持部３２によって保持される熱交換器は蒸発器１４であるが、その熱交換器は、蒸発器以外のもの例えば凝縮器などであってもよい。
【００７４】
（４）上述の実施形態では図３および図５に示すように、空調ケース１２の保持部３２は空気流れ方向ＤＲａに略対称的な形状を有しているが、そのように対称的な形状ではないことも想定される。例えば、風下側の第１および第２リブ３４、３５、３６と風上側の第１および第２リブ３８、３９、４０とのうちの片側だけが設けられていることも想定される。
【００７５】
（５）上述の実施形態では図３に示すように、第１ヘッダタンク１６において第２リブ３５、３６、３９、４０は４つの第２リブ群に分かれ、その第２リブ群は分割空間２２ｂ、２２ｃ、２３ｂ、２３ｃ毎に設けられているが、これは一例である。例えば、それらの第２リブ３５、３６、３９、４０が属する４つの第２リブ群のうちの何れかの群が無いことも想定される。
【００７６】
（６）上述の実施形態では、第２ヘッダタンク１８用の保持部も、図３〜図５に示される第１ヘッダタンク１６用の保持部３２と同様であるが、これは一例である。その第２ヘッダタンク１８用の保持部が第１ヘッダタンク１６用の保持部３２とは異なる構造であることも想定される。
【００７７】
なお、本開示は、上述の実施形態に限定されることなく、様々な変形例や均等範囲内の変形をも包含する。また、上記実施形態において、実施形態を構成する要素は、特に必須であると明示した場合および原理的に明らかに必須であると考えられる場合等を除き、必ずしも必須のものではないことは言うまでもない。
【００７８】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００７９】
（まとめ）
上記実施形態の一部または全部で示された第１の観点によれば、保持部は、タンク外壁部を内部空間側へ押圧する第１リブおよび複数本の第２リブを有する。また、その第１リブは、前記チューブ積層方向へ延びている。また、複数本の第２リブはそれぞれ第１リブに連結し、その第１リブからチューブ側とは反対側へ延びるように形成され、チューブ積層方向へ所定のリブ相互間隔を空けて並んで配置される。また、そのリブ相互間隔は、チューブ長手方向において第１リブから第２リブがチューブ側とは反対側へと及ぶ長さよりも大きい。
【００８０】
また、第２の観点によれば、複数本の第２リブは、チューブ積層方向ではタンク内一空間の一端と他端との間に設けられると共に、複数本の第２リブがチューブ積層方向に占める範囲がチューブ積層方向におけるタンク内一空間の中央位置に重なるように配置される。そして、複数本の第２リブは、タンク外壁部のうちでそのタンク内一空間を覆う部分を押圧する。従って、タンク外壁部の振動し易い箇所でそのタンク外壁部を押圧しその振動を抑制することが可能である。
【００８１】
また、第３の観点によれば、ヘッダタンクは、そのヘッダタンクの内部空間をチューブ積層方向に仕切ることにより複数の分割空間を形成する仕切板を有する。そして、上記タンク内一空間は、複数の分割空間のうちの１つの空間として設けられている。従って、ヘッダタンクの内部空間が複数の分割空間に分割されている場合でも、ヘッダタンクの振動を効率的に抑え、熱交換器の冷媒通過音を低減することができる。
【図１】
2018025522.tif 000003
【図２】
2018025522.tif 000004
【図３】
2018025522.tif 000005
【図４】
2018025522.tif 000006
【図５】
2018025522.tif 000007
【図６】
2018025522.tif 000008
【図７】
2018025522.tif 000009
【図８】
2018025522.tif 000010
【手続補正書】
【提出日】平成30年9月5日(2018.9.5)
【手続補正１】
【補正対象書類名】特許請求の範囲
【補正対象項目名】請求項３
【補正方法】変更
【補正の内容】
【請求項３】
前記ヘッダタンクは、該ヘッダタンクの内部空間を前記チューブ積層方向に仕切ることにより複数の分割空間（２２ｂ、２２ｃ、２３ｂ、２３ｃ）を形成する仕切板（２２４、２３４）を有し、
前記タンク内一空間は、前記複数の分割空間のうちの１つの空間として設けられている請求項２に記載の空調ユニット。
【国際調査報告】
2018025522.tif 000011
2018025522.tif 000012
2018025522.tif 000013
2018025522.tif 000014
2018025522.tif 000015
2018025522.tif 000016